【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
基材と、
硬化シリコーンゴム弾性層と、
該硬化シリコーンゴム弾性層上の、フッ素樹脂粉体の熔融物を含むフッ素樹脂表層と、を有する電子写真用部材において、
該硬化シリコーンゴム弾性層は、不飽和脂肪族基を含み、
該硬化シリコーンゴム弾性層を構成している硬化ゴムのマイクロ硬度をＨμ０、および、
該硬化ゴムをメチルハイドロジェンシリコーンオイルに２４時間浸漬後、さらに硬化させた後のマイクロ硬度をＨμ１としたとき、Ｈμ１／Ｈμ０が２．５以上５．０以下であることを特徴とする電子写真用部材。
【請求項２】
前記硬化シリコーンゴム弾性層が、酸化チタン粒子、酸化鉄粒子、酸化ニッケル粒子、酸化コバルト粒子および酸化クロム粒子からなる群から選択される少なくとも１つを第１のフィラーとして含む請求項１に記載の電子写真用部材。
【請求項３】
前記硬化シリコーンゴム弾性層が、酸化鉄（III）を含む酸化鉄粒子、ルチル型酸化チタンを含む酸化チタン粒子およびアナターゼ型酸化チタンを含む酸化チタン粒子からなる群から選択される少なくとも１つを第１のフィラーとして含む請求項１または２に記載の電子写真用部材。
【請求項４】
前記硬化シリコーンゴム弾性層が、アナターゼ型酸化チタンを含む酸化チタン粒子を第１のフィラーとして含む請求項３に記載の電子写真用部材。
【請求項５】
前記硬化シリコーンゴム弾性層が、付加硬化型オルガノポリシロキサン混合物の硬化物を含む請求項１〜４のいずれか一項に記載の電子写真用部材。
【請求項６】
前記付加硬化型オルガノポリシロキサン混合物が、不飽和脂肪族基を有するオルガノポリシロキサンを含み、該オルガノポリシロキサンは、不飽和脂肪族基の量が、ケイ素原子１モルに対して０．１モル％以上、２．０モル％以下である請求項５に記載の電子写真用部材。
【請求項７】
前記硬化シリコーンゴム弾性層が、炭化ケイ素（ＳｉＣ）、窒化ケイ素（Ｓｉ３Ｎ４）、窒化ホウ素（ＢＮ）、窒化アルミニウム（ＡｌＮ）、アルミナ（Ａｌ２Ｏ３）、酸化亜鉛（ＺｎＯ）、酸化マグネシウム（ＭｇＯ）、シリカ（ＳｉＯ２）、銅（Ｃｕ）、アルミニウム（Ａｌ）、銀（Ａｇ）、鉄（Ｆｅ）およびニッケル（Ｎｉ）からなる群から選択される少なくとも１つを第２のフィラーとして含む請求項１〜６のいずれか一項に記載の電子写真用部材。
【請求項８】
前記電子写真用部材が、定着ベルトである請求項１〜７のいずれか一項に記載の電子写真用部材。
【請求項９】
定着部材と、該定着部材の加熱手段と、該定着部材に対向して配置されてなる加圧部材とを具備している定着装置であって、
該定着部材および該加圧部材のいずれか一方または両方が、請求項１〜７のいずれか一項に記載の電子写真用部材であることを特徴とする定着装置。
【請求項１０】
定着部材と、該定着部材の加熱手段と、該定着部材に対向して配置されてなる加圧部材とを具備している定着装置であって、
該定着部材が、請求項８に記載の定着ベルトであることを特徴とする定着装置。
【請求項１１】
請求項９または１０に記載の定着装置を具備していることを特徴とする電子写真画像形成装置。
【請求項１２】
基材と、
硬化シリコーンゴム弾性層と、
該硬化シリコーンゴム弾性層上の、フッ素樹脂粉体の熔融物を含むフッ素樹脂表層と、を有する電子写真用部材の製造方法であって、
（１）基材上に、不飽和脂肪族基を有する硬化シリコーンゴム弾性層を形成する工程と、
（２）該硬化シリコーンゴム弾性層の表面にフッ素樹脂粉体を付着させ、該フッ素樹脂粉体を熔融させてフッ素樹脂表層を形成する工程と、を有し、
該工程（１）は、
不飽和脂肪族基を有するオルガノポリシロキサン、ケイ素に結合した活性水素を有するオルガノポリシロキサンおよび架橋触媒を含む付加硬化型オルガノポリシロキサン混合物と、
不飽和脂肪族基の消費抑制フィラーと、を含む混合物の層を、基材上に形成する工程を含む、ことを特徴とする電子写真用部材の製造方法。
【請求項１３】
前記不飽和脂肪族基の消費抑制フィラーが、酸化チタン粒子、酸化鉄粒子、酸化ニッケル粒子、酸化コバルト粒子および酸化クロム粒子からなる群から選択される少なくとも１つである請求項１２に記載の電子写真用部材の製造方法。
【請求項１４】
前記不飽和脂肪族基の消費抑制フィラーが、アナターゼ型酸化チタンである請求項１２または１３に記載の電子写真用部材の製造方法。
【請求項１５】
前記アナターゼ型酸化チタンを、前記付加硬化型オルガノポリシロキサン混合物１００質量部に対し、０．１５質量部以上含有する請求項１４に記載の電子写真用部材の製造方法。
【手続補正２】
【補正対象書類名】明細書
【補正対象項目名】発明の名称
【補正方法】変更
【補正の内容】
【発明の名称】電子写真用部材、電子写真用部材の製造方法、定着装置および電子写真画像形成装置
【手続補正３】
【補正対象書類名】明細書
【補正対象項目名】０００１
【補正方法】変更
【補正の内容】
【０００１】
本発明は、電子写真用部材、電子写真用部材の製造方法、定着装置および電子写真画像形成装置に関する。
【手続補正４】
【補正対象書類名】明細書
【補正対象項目名】００１４
【補正方法】変更
【補正の内容】
【００１４】
本発明の目的は、ゴム弾性を長期に亘って安定に維持することのできる、フッ素樹脂粉体を熔融せしめて形成してなるフッ素樹脂表層を備えた電子写真用部材およびその製造方法を提供する点にある。
【手続補正５】
【補正対象書類名】明細書
【補正対象項目名】００１６
【補正方法】変更
【補正の内容】
【００１６】
本発明の一態様によれば、基材と、硬化シリコーンゴム弾性層と、該硬化シリコーンゴム層上の、フッ素樹脂粉体の熔融物を含むフッ素樹脂表層と、を有する電子写真用部材において、
該硬化シリコーンゴム弾性層は、不飽和脂肪族基を含み、
該硬化シリコーンゴム弾性層を構成している硬化ゴムのマイクロ硬度をＨμ０、および、該硬化ゴムをメチルハイドロジェンシリコーンオイルに２４時間浸漬後、さらに硬化させた後のマイクロ硬度をＨμ１としたとき、Ｈμ１／Ｈμ０が２．５以上５．０以下である電子写真用部材が提供される。
また、本発明の他の態様によれば、
基材と、
硬化シリコーンゴム弾性層と、
該硬化シリコーンゴム弾性層上の、フッ素樹脂粉体の熔融物を含むフッ素樹脂表層と、を有する電子写真用部材の製造方法であって、
（１）基材上に、不飽和脂肪族基を有する硬化シリコーンゴム弾性層を形成する工程と、
（２）該硬化シリコーンゴム弾性層の表面にフッ素樹脂粉体を付着させ、該フッ素樹脂粉体を熔融させてフッ素樹脂表層を形成する工程と、を有し、
該工程（１）は、
不飽和脂肪族基を有するオルガノポリシロキサン、ケイ素に結合した活性水素を有するオルガノポリシロキサンおよび架橋触媒を含む付加硬化型オルガノポリシロキサン混合物と、
不飽和脂肪族基の消費抑制フィラーと、を含む混合物の層を、基材上に形成する工程を含む、電子写真用部材の製造方法が提供される。
また、本発明の他の態様によれば、定着部材と、該定着部材の加熱手段と、該定着部材に対向して配置されてなる加圧部材とを具備している定着装置であって、該定着部材および該加圧部材のいずれか一方または両方が、上記の電子写真用部材である定着装置が提供される。
また、本発明の更に他の態様によれば、上記の定着装置を具備している電子写真画像形成装置が提供される。
【手続補正６】
【補正対象書類名】明細書
【補正対象項目名】００２２
【補正方法】変更
【補正の内容】
【００２２】
本発明に係る定着部材等に用いられる導電性部材は、基材と、付加硬化型オルガノポリシロキサン混合物の硬化物であるところのシリコーンゴムを含む弾性層（硬化シリコーンゴム弾性層）と、フッ素樹脂粉体の熔融物を含むフッ素樹脂表層とを有する。そして、該硬化シリコーンゴム弾性層を構成している硬化ゴムのマイクロ硬度をＨμ０、および該硬化ゴムをメチルハイドロジェンシリコーンオイルに２４時間浸漬後、更に硬化させた後のマイクロ硬度をＨμ１としたとき、Ｈμ１／Ｈμ０が２．５以上５．０以下である。